(57)【特許請求の範囲】
【請求項１】
操作盤による呼び操作によって入出庫を行う駐車装置の操作禁止装置であって、
前記駐車装置の運転操作を許可する認証手段を備え、
前記駐車装置の所定位置に脱着可能な操作禁止媒体を備え、
前記操作禁止媒体が所定位置から取り外されている場合には、前記操作盤による入出庫のための機械動作の操作を不能又は無効にするように構成されており、
前記操作禁止媒体は、前記所定位置から取り外せないようにロック装置でロックされており、
前記認証手段による利用者の認証が認証条件を満たさない場合には前記ロック装置による操作禁止媒体のロック状態を維持するように構成されている、
ことを特徴とする駐車装置の操作禁止装置。
【請求項２】
操作盤による呼び操作によって入出庫を行う駐車装置の操作禁止装置であって、
前記駐車装置の運転操作を許可する認証手段を備え、
前記駐車装置の所定位置に脱着可能な操作禁止媒体を備え、
前記操作禁止媒体が所定位置から取り外されている場合には、前記操作盤による入出庫のための機械動作の操作を不能又は無効にするように構成されており、
前記認証手段は、運転キーで構成され、
前記操作禁止媒体は、前記運転キーを差し込むことで取り外せるように構成され、
前記運転キーは、前記操作禁止媒体を戻すことで抜くことができるように構成されている、
ことを特徴とする駐車装置の操作禁止装置。
【請求項３】
前記操作盤による入出庫のための機械動作の操作が、少なくとも格納・搬出手段の呼び出し又は格納のいずれかの操作である請求項１又は２に記載の駐車装置の操作禁止装置。
【請求項４】
前記駐車装置は、前面扉又は前面フェンスを備え、
前記操作盤による入出庫のための機械動作の操作が、少なくとも格納・搬出手段の呼び出し又は格納もしくは前面扉又は前面フェンスの閉操作のいずれかの操作である請求項１又は２に記載の駐車装置の操作禁止装置。
【請求項５】
操作盤による呼び操作によって入出庫を行う駐車装置の操作禁止装置であって、
前記駐車装置の運転操作を許可する認証手段を備え、
前記駐車装置の所定位置に脱着可能な操作禁止媒体を備え、
前記操作禁止媒体が所定位置から取り外されている場合には、前記操作盤による入出庫のための機械動作の操作を不能又は無効にするように構成されており、
前記駐車装置は、前面扉又は前面フェンスを備え、
前記操作盤による入出庫のための機械動作の操作が、少なくとも格納・搬出手段の呼び出し又は格納もしくは前面扉又は前面フェンスの閉操作のいずれかの操作であり、
前記操作禁止媒体は、前記所定位置から取り外せないようにロック装置でロックされており、
前記ロック装置は、搬出／格納準備動作の完了、前面扉又は前面フェンスの開放のいずれかの信号に基づいて解除されるように構成されている、
ことを特徴とする駐車装置の操作禁止装置。
【請求項６】
操作盤による呼び操作によって入出庫を行う駐車装置の操作禁止装置であって、
前記駐車装置の運転操作を許可する認証手段を備え、
前記駐車装置の所定位置に脱着可能な操作禁止媒体を備え、
前記操作禁止媒体が所定位置から取り外されている場合には、前記操作盤による入出庫のための機械動作の操作を不能又は無効にするように構成されており、
前記駐車装置は、前面扉又は前面フェンスを備え、
前記操作盤による入出庫のための機械動作の操作が、少なくとも格納・搬出手段の呼び出し又は格納もしくは前面扉又は前面フェンスの閉操作のいずれかの操作であり、
前記入出庫のための機械動作の内、前面扉又は前面フェンスの開操作は、前記操作禁止媒体の取り外し後に許可されるように構成されている、
ことを特徴とする駐車装置の操作禁止装置。
【請求項７】
操作盤による呼び操作によって入出庫を行う駐車装置の操作禁止装置であって、
前記駐車装置の運転操作を許可する認証手段を備え、
前記駐車装置の所定位置に脱着可能な操作禁止媒体を備え、
前記操作禁止媒体が所定位置から取り外されている場合には、前記操作盤による入出庫のための機械動作の操作を不能又は無効にするように構成されており、
前記駐車装置は、前面扉又は前面フェンスを備え、
前記操作盤による入出庫のための機械動作の操作が、少なくとも格納・搬出手段の呼び出し又は格納もしくは前面扉又は前面フェンスの閉操作のいずれかの操作であり、
前記操作禁止媒体の取り外し操作に連動して前面扉又は前面フェンスの開動作が行われるように構成されている、
ことを特徴とする駐車装置の操作禁止装置。
【請求項８】
操作盤による呼び操作によって入出庫を行う駐車装置の操作禁止装置であって、
前記駐車装置の運転操作を許可する認証手段を備え、
前記駐車装置の所定位置に脱着可能な操作禁止媒体を備え、
前記操作禁止媒体が所定位置から取り外されている場合には、前記操作盤による入出庫のための機械動作の操作を不能又は無効にするように構成されており、
前記駐車装置は、前面扉又は前面フェンスを備え、
前記操作盤による入出庫のための機械動作の操作が、少なくとも格納・搬出手段の呼び出し又は格納もしくは前面扉又は前面フェンスの閉操作のいずれかの操作であり、
前記操作禁止媒体の戻し操作に連動して前面扉又は前面フェンスの閉動作が行われるように構成されている、
ことを特徴とする駐車装置の操作禁止装置。
【請求項９】
前記操作禁止媒体は、キーで構成されている請求項１〜８のいずれか１項に記載の駐車装置の操作禁止装置。
【請求項１０】
前記操作禁止媒体は、操作盤における操作部を脱着可能に構成されたものである請求項１〜８のいずれか１項に記載の駐車装置の操作禁止装置。
【請求項１１】
請求項１〜１０のいずれか１項に記載の駐車装置の操作禁止装置を備えた機械式駐車装置であって、
少なくとも複数の昇降するパレットを有し、操作盤又は該操作盤の周囲に前記操作禁止媒体が設けられていることを特徴とする機械式駐車装置。
【発明の詳細な説明】
【技術分野】
【０００１】
本発明は、機械式駐車装置において、先の利用者が利用中に他の利用者による駐車装置の操作を禁止する操作禁止装置と、それを備えた機械式駐車装置に関する。
【背景技術】
【０００２】
従来、機械式駐車装置には、管理者が常駐せずに利用者が自ら操作盤を操作して入出庫を行うものがある。このような機械式駐車装置の場合、複数の利用者（操作者）が少しの時間差で利用する場合があり、例えば、先の利用者が入出庫中で装置内において出庫準備をしているときに、他の利用者が来て、先の利用者が装置内にいることに気付かずに操作盤を操作して前面扉を閉める操作をしてしまうことが起こり得る。この場合、先の利用者が装置内に閉じ込められてしまう。特に、夜間に利用する場合、機械式駐車装置の中に他の利用者がいることに気付かずに前面扉を締めてしまう場合があり得る。
【０００３】
また、管理者不在で利用者が操作する機械式駐車装置には、利用者（特定の人）のみが操作できるように、操作開始時に操作キーを必要とするものや、暗証番号を入力するものがある。しかし、このような機械式駐車装置でも、利用者が操作キーを差したり暗証番号を入力した後は、他の利用者による操作盤の操作はできてしまうので、他の利用者の操作によって先の利用者が装置内に閉じ込められてしまうことは起こり得る。
【０００４】
そこで、この種の先行技術として、利用者による第１の認証でパレット呼びから扉開を行い、第１の認証と一致する第２の認証で扉閉が可能となるようにして、第１の認証を行った利用者の利用中に他の利用者が操作できないようにしたものがある（例えば、特許文献１参照）。
【先行技術文献】
【特許文献】
【０００５】
【特許文献１】特開２０１２−２６１２１号公報
【発明の概要】
【発明が解決しようとする課題】
【０００６】
しかしながら、上記特許文献１の発明では、認証手段による複数回の照合を必要とするため、例えば、リレー制御による比較的簡便な設備（例えば、多段式機械式駐車装置）に適用しようとすると、マイコン制御やシーケンス制御への変更が必要になり、多くのコストが必用となる。
【０００７】
また、暗証番号などは家族の複数人で共用することがあり、必ずしも第１の認証を行った利用者しか操作できないとは限らない。そのため、先の利用者が装置内にいるときに他の利用者が扉閉等の操作を行い、先の利用者が装置内に閉じ込められるおそれはある。
【０００８】
そこで、本発明は、先の利用者が機械式駐車装置の内部にいる場合、他の利用者による機械式駐車装置の運転を適切に禁止するようにした駐車装置の操作禁止装置と、それを備えた機械式駐車装置を提供することを目的とする。
【課題を解決するための手段】
【０００９】
上記目的を達成するために、本発明に係る操作禁止装置は、操作盤による呼び操作によって入出庫を行う駐車装置の操作禁止装置であって、前記駐車装置の運転操作を許可する認証手段を備え、前記駐車装置の所定位置に脱着可能な操作禁止媒体を備え、前記操作禁止媒体が所定位置から取り外されている場合には、前記操作盤による入出庫のための機械動作の操作を不能又は無効にするように構成されている。この明細書及び特許請求の範囲の書類中における「認証手段」としては、電源キー、暗証番号、運転リモコン、認証カードなどがある。また、「操作禁止媒体」としては、キー、カード、ボタンなど、利用者が取り外し、持って入出庫ができる媒体であればよい。また、「操作を不能又は無効」は、物理的に操作を不能にすること、制御的に操作を無効にすることなどをいう。
【００１０】
この構成により、認証手段によって運転操作を可能としても、認証手段とは別の操作禁止媒体を駐車装置の所定位置から取り外すことで、操作盤による入出庫のための機械動作の操作が不能又は無効にされる。そのため、先の利用者が操作禁止媒体を取り外して駐車装置の内部にいるときには、他の利用者による駐車装置に対する入出庫のための機械動作の操作を不能又は無効にすることができる。多段式機械式駐車装置等で、前面扉又は前面フェンスを持たない機種にも適用できる。
【００１１】
また、前記操作禁止媒体は、前記認証手段による利用者の認証を制御装置が確認した後に取り外せるように構成されていてもよい。この明細書及び特許請求の範囲の書類中における「認証手段」としては、例えば、運転キー、暗証番号、運転リモコン、認証カードなどによる認証とすることができる。
【００１２】
このように構成すれば、認証手段によって機械式駐車装置の利用者を認証した後、認証を行った利用者が操作禁止媒体を取り外すことができるようにして、他の利用者による操作盤の操作を不能又は無効にすることができる。
【００１３】
また、前記操作禁止媒体は、前記所定位置から取り外せないようにロック装置でロックされており、前記認証手段による利用者の認証が認証条件を満たさない場合には前記ロック装置による操作禁止媒体のロック状態を維持するように構成されていてもよい。この明細書及び特許請求の範囲の書類中における「ロック装置」としては、例えば、電磁ソレノイド、電子ロック等によって操作禁止媒体を取り外せないようにするものを用いることができる。
【００１４】
このように構成すれば、認証手段によって機械式駐車装置の利用者を認証することで操作禁止媒体をロックしているロック装置のロックを解除することができ、認証できた利用者だけが操作禁止媒体を取り外して他の利用者による操作盤の操作を不能又は無効にすることができる。
【００１５】
また、前記認証手段は、運転キーで構成され、前記操作禁止媒体は、前記運転キーを差し込むことで取り外せるように構成され、前記運転キーは、前記操作禁止媒体を戻すことで抜くことができるように構成されていてもよい。
【００１６】
このように構成すれば、利用者は携帯している運転キーを差し込んで認証することで、操作禁止媒体を取り外して機械式駐車装置の内部に入り、機械式駐車装置から出て操作禁止媒体を戻して運転キーを抜いた後に機械式駐車装置から離れることになり、操作禁止媒体の戻し忘れを防止することができる。
【００１７】
また、前記操作盤による入出庫のための機械動作の操作が、少なくとも格納・搬出手段の呼び出し又は格納のいずれかの操作であってもよい。
【００１８】
このように構成すれば、操作禁止媒体を駐車装置の所定位置から取り外すことで、少なくとも格納・搬出手段の呼び出し又は格納のいずれかの操作が不能又は無効にされる。そのため、先の利用者が駐車装置の内部にいるときに他の利用者が、駐車装置の格納・搬出手段の呼び出し又は格納の操作を行うこと、がないようにできる。
【００１９】
また、前記駐車装置は、前面扉又は前面フェンスを備え、前記操作盤による入出庫のための機械動作の操作が、少なくとも格納・搬出手段の呼び出し又は格納もしくは前面扉又は前面フェンスの閉操作のいずれかの操作であってもよい。
【００２０】
このように構成すれば、操作禁止媒体を駐車装置の所定位置から取り外すことで、少なくとも前面扉又は前面フェンスの閉操作、格納・搬出手段の呼び出し又は格納のいずれかの操作が不能又は無効にされる。そのため、先の利用者が駐車装置の内部にいるときに他の利用者が、駐車装置の前面扉又は前面フェンスを閉めること、格納・搬出手段の呼び出し又は格納の操作を行うこと、がないようにできる。
【００２１】
また、前記操作禁止媒体は、前記所定位置から取り外せないようにロック装置でロックされており、前記ロック装置は、搬出／格納準備動作の完了、前面扉又は前面フェンスの開放のいずれかの信号に基づいて解除されるように構成されていてもよい。
【００２２】
このように構成すれば、利用者によって搬出／格納準備動作の完了、前面扉又は前面フェンスの開放のいずれかが行われることで、操作禁止媒体を取り外して機械式駐車装置の内部に入ることができる。
【００２３】
前記入出庫のための機械動作の内、前面扉又は前面フェンスの開操作は、前記操作禁止媒体の取り外し後に許可されるように構成されていてもよい。
【００２４】
このように構成すれば、利用者が機械式駐車装置の内部に入る際、操作禁止媒体の取り外しを忘れることを防止することができる。
【００２５】
また、前記操作禁止媒体の取り外し操作に連動して前面扉又は前面フェンスの開動作が行われるように構成されていてもよい。
【００２６】
このように構成すれば、利用者が操作禁止媒体を取り外すことに連動させて前面扉又は前面フェンスを開放することができ、利用者による操作の簡便を図ることができる。
【００２７】
また、前記操作禁止媒体の戻し操作に連動して前面扉又は前面フェンスの閉動作が行われるように構成されていてもよい。
【００２８】
このように構成すれば、利用者が操作禁止媒体を戻すことに連動させて前面扉又は前面フェンスを閉鎖することができ、利用者による操作の簡便を図ることができる。
【００２９】
また、前記操作禁止媒体は、キーで構成されていてもよい。この明細書及び特許請求の範囲の書類中における「キー」としては、通常のキーの他、ソレノイドキー、電子ロックキー、ロック機能付キーなどが利用できる。
【００３０】
このように構成すれば、比較的簡単な構成で操作禁止媒体を構成することができ、設備費用を抑えることができる。
【００３１】
また、前記操作禁止媒体は、操作盤における操作部を脱着可能に構成されたものでもよい。「操作部」としては、例えば、運転開始ボタン等の必ず操作する部分とすることができる。
【００３２】
このように構成すれば、操作盤を操作する場合に使用する操作部の有無によって、他の利用者に先の利用者が機械式駐車装置の内部にいることを容易に認識することができる。
【００３３】
一方、本発明に係る機械式駐車装置は、前記いずれかの操作禁止装置を備え、少なくとも複数の昇降するパレットを有し、操作盤又は該操作盤の周囲もしくは出入口周辺に前記操作禁止媒体が設けられている。
【００３４】
この構成により、複数の昇降するパレットを有する機械式駐車装置において、操作盤又は操作盤の近傍において操作禁止媒体を駐車装置から取り外して、先の利用者が駐車装置の内部にいるときに他の利用者による前面扉又は前面フェンスの閉操作、格納・搬出手段の呼び出し又は格納のいずれかの操作を不能又は無効にして機械式駐車装置への入出庫を禁止することができる。しかも、操作盤又は操作盤の周囲もしくは出入口周辺に操作禁止媒体が設けられていることで、操作禁止媒体を取り外して迅速な入出庫ができる。
【発明の効果】
【００３５】
本発明によれば、先の利用者が操作禁止媒体を取り外すことで、先の利用者が利用中に他の利用者が機械式駐車装置を動作させる操作を不能又は無効にすることができ、先の利用者が機械式駐車装置の内部にいるときに、他の利用者による機械式駐車装置の運転を適切に禁止することが可能となる。
【図面の簡単な説明】
【００３６】
【図１】図１は本発明を適用するピット格納式複数列多段式駐車装置の一例を示す全体概略正面図である。
【図２】図２は図１に示す駐車装置の操作盤に備えられる操作禁止媒体の第１実施形態を示す図面であり、(a) は正面図、(b) は操作禁止媒体の取り外し前の側面図、(c) は操作禁止媒体を取り外した状態の側面図である。
【図３】図３は図１に示す駐車装置の操作盤に備えられる操作禁止媒体の第２実施形態を示す図面であり、(a) は正面図、(b) は操作禁止媒体の取り外し前の側面図、(c) は操作禁止媒体を取り外した状態の側面図である。
【図４】図４は図１に示す駐車装置の操作盤に備えられる操作禁止媒体の第３実施形態を示す図面であり、(a) は正面図、(b) は操作禁止媒体の取り外し前の側面図、(c) は操作禁止媒体を取り外した状態の側面図である。
【図５】図５は図１に示す駐車装置の操作盤に備えられる操作禁止媒体の第４実施形態を示す図面であり、(a) は正面図、(b) は操作禁止媒体の取り外し前の側面図、(c) は操作禁止媒体を取り外した状態の正面図、(d) は操作禁止媒体を取り外した状態の側面図である。
【図６】図６は図１に示す駐車装置の操作盤に備えられる操作禁止媒体の第５実施形態を示す図面であり、(a) は正面図、(b) は操作禁止媒体の取り外し前の側面図、(c) は操作禁止媒体を取り外した状態の正面図、(d) は操作禁止媒体を取り外した状態の側面図である。
【図７】図７は図１に示す駐車装置の操作盤に備えられる操作禁止媒体の第６実施形態を示す図面であり、(a) は正面図、(b) は操作禁止媒体を取り外す前の側面図、(c) は操作禁止媒体を取り外した状態の側面図である。
【図８】図８は図１に示す駐車装置の操作盤に備えられる操作禁止媒体の第７実施形態を示す図面であり、(a) は正面図、(b) は操作禁止媒体の取り外し前の側面図、(c) は操作禁止媒体を取り外した状態の側面図、(d) は操作禁止媒体を取り付ける前の側面図、(e) は操作禁止媒体を取付けた状態の側面図である。
【図９】図９は図１に示す駐車装置の操作盤に備えられる操作禁止媒体の第８実施形態を示す図面であり、(a) は正面図、(b) は操作禁止媒体の取り外し前の側面図、(c) は操作禁止媒体を取り外した状態の側面図である。
【発明を実施するための形態】
【００３７】
以下、本発明の実施形態を図面に基づいて説明する。以下の実施形態では、機械式駐車装置の一例として、ピット格納式の３段３列昇降横行式の複数列多段式駐車装置で、中段が乗入れ部となった例を説明する。この駐車装置には、前面フェンスが設けられている。なお、この明細書及び特許請求の範囲の書類中では、図１に示す駐車装置の正面に向った状態で、右方向、左方向、入口の方向を前方向、奥の方向を後方向という。
【００３８】
図１に示すように、この実施形態の複数列多段式駐車装置１は、複数本の支柱２及び横梁３により枠組みされた枠組体５を骨格として構築され、上下に３段、左右に３列の格納スペースが形成されている。上段は高車高車ＨＷの格納が可能な上段格納スペース６、中段は高車高車ＨＷの格納が可能な中段格納スペース７、下段は低車高車ＬＷを格納する下段格納スペース８となっている。これら格納スペース６〜８のうち、上段格納スペース６及び中段格納スペース７は地上に設けられ、下段格納スペース８は地下に掘削して形成されたピット９内に設けられている。
【００３９】
上記上段格納スペース６には３台の上段パレット１０が横方向に並設され、上記下段格納スペース８には３台の下段パレット１１が横方向に並設され、上記中段格納スペース７には１台少ない２台の中段パレット１２が左行横行位置で横方向に並設されている。図では、この中段格納スペース７の右端に形成されている空スペースに上段パレット１０が下降して配置されている。この中段格納スペース７の中段パレット１２は、中段格納スペース７で左右方向に横行可能となっている。上段格納スペース６の上段パレット１０は、昇降駆動部１５によって駆動される昇降用チェーン１６によって中段格納スペース７との間で昇降可能となっている。下段格納スペース８の下段パレット１１は、昇降駆動部１５によって駆動される昇降用チェーン１７によって中段格納スペース７との間で昇降可能となっている。昇降する上段パレット１０及び下段パレット１１は昇降パレットであり、横行する中段パレット１２は横行パレットである。昇降用チェーン１６，１７による上段パレット１０，下段パレット１１の昇降機構は、公知の技術を採用することができるため、詳細な説明は省略する。
【００４０】
地上階の中段格納スペース７が乗入れ部２０となっており、入出庫車両である高車高車ＨＷ及び低車高車ＬＷは、この乗入れ部２０から中段格納スペース７に位置する各パレット１０〜１２に入出庫される。
【００４１】
この乗入れ部２０の前部には、前面フェンス２１が上下方向に開閉可能に設けられている。この前面フェンス２１の開閉動作により、中段格納スペース７と乗入れ床２２とが連通又は遮断されるようになっている。前面フェンス２１は、支柱２の上部に設けられたフェンス開閉駆動部２５によって駆動するバランスチェーン２６によって開閉させられる。このバランスチェーン２６の端部には、カウンタウエイト２７が設けられている。
【００４２】
そして、上記枠組体５の乗入れ部２０側における右側の支柱２には、操作盤３０が配設されており、この操作盤３０に操作禁止媒体５０が設けられている。
【００４３】
次に、図２に基づいて、上記前面フェンス２１を有する駐車装置１の操作盤３０に設けられた操作禁止媒体５０と、その操作禁止媒体５０を備えた操作禁止装置７０について説明する。
【００４４】
図２(a) に示すように、操作盤３０には、電源キー３１を差し込む部分と、フェンス開ボタン３２、フェンス閉ボタン３３、スタートボタン３４、及びテンキーボタン３５とが設けられている。テンキーボタン３５の上方にはパレット呼び番号を表示する表示部３６が設けられている。
【００４５】
そして、この第１実施形態では、操作盤３０に利用者が抜き差し可能な操作禁止媒体５０としての操作禁止キー５１が設けられている。この操作禁止キー５１は、図２(b) に示すように差し込んだ状態から、図２(c) に示すように抜き取り可能となっている。
【００４６】
次に、このような操作禁止キー５１が設けられた操作禁止装置７０による駐車装置１の機械動作の禁止について詳細に説明する。
【００４７】
前面フェンス２１がある場合、まず、前面フェンス２１が閉まった状態で呼び操作をする。この呼び操作としては、前面フェンス２１が閉まった待機状態で電源キー３１を差して電源を入れる。電源キー３１は、利用者が携帯するものであり、駐車装置１の運転操作を許可するための認証手段である。認証手段としては、電源キー３１以外に、暗証番号、運転リモコン、認証カードなどによる認証としてもよい。また、複数の認証手段によって認証するようにしてもよい。この認証は、制御装置６０によって確認される。その後、テンキーボタン３５で呼び番号を押し、スタートボタン３４を押す。これにより、駐車装置１が動作して呼び番号のパレットに車両を格納するための準備が行われる。呼び番号のパレットが入庫位置に配置されると、フェンス開ボタン３２を押して前面フェンス２１を開ける。
【００４８】
そして、利用者は、操作盤３０から操作禁止キー５１を抜き取り、その操作禁止キー５１を持って駐車装置１の中に入って入庫作業を行う。この操作禁止キー５１は、電源キー３１を差し込まないと抜くことができない。このように操作禁止キー５１を抜き取ることにより、制御装置６０によって、操作盤３０による入出庫のための機械動作の操作が無効となる。これにより、他の利用者による操作盤３０の操作による駐車装置１の機械動作を禁止することができる。この実施形態では、入出庫のための機械動作の操作として、フェンス閉ボタン３３、スタートボタン３４、テンキーボタン３５のいずれか又は複数の操作が無効となり、他の利用者によるフェンス閉操作やパレット呼び操作を禁止している。
【００４９】
なお、利用者が操作禁止キー５１を必ず抜くようにするために、操作禁止キー５１を差した状態ではフェンス開ボタン３２による操作を無効にして操作不可とし、操作禁止キー５１を抜くことでフェンス開ボタン３２の操作が有効となるようにしてもよい。
【００５０】
また、操作禁止キー５１の差し忘れを防止するために、操作禁止キー５１を差さないと電源キー３１が抜けないようにしてもよい。さらに、前面フェンス２１を閉めないと電源キー３１が抜けないようにしてもよい。
【００５１】
一方、駐車装置１が待機中で電源キー３１が「入」の状態になるまでは、操作禁止キー５１が抜けないようにロック装置（図示略）で操作禁止キー５１をロックしてもよい。このロック装置としては、電磁ソレノイド、電子ロックなどを用いることができる。この場合、呼び操作による搬出／格納準備動作の完了、又は前面フェンス２１の開放のいずれかの信号に基づいてロックが解除され、操作禁止キー５１が抜けるようにできる。このようにすることで、いたずら等で利用者以外が操作禁止キー５１を抜いたり、誤操作で操作禁止キー５１が抜かれることを防ぐことができる。このロック装置の制御は、制御装置６０によって行なえばよい。また、複数の認証条件を設定してもよい。例えば、電源キー３１の「入」操作と、暗証番号の入力等でもよい。
【００５２】
なお、認証手段が電源キー３１ではなく、暗証番号や運転リモコンや認証カードで利用者を認証する場合でも、認証が完了するまで操作禁止キー５１が抜けないようにしてもよい。
【００５３】
そして、利用者が車両を入出庫した後、駐車装置１から出て操作盤３０の位置に戻り、操作禁止キー５１を元の位置に差す。これにより、フェンス閉ボタン３３の操作が可能となり、前面フェンス２１を閉めることができる。そして、電源キー３１を抜いて駐車装置１の電源を切る。
【００５４】
なお、電源キー３１以外の認証手段の場合でも、例えば、前面フェンス２１を閉めると、以降の操作を行いたいときは再度認証を行わなければならないようにして、電源を切ったのと同様の状態とすることができる。
【００５５】
また、この実施形態は、操作盤３０に認証手段となる電源キー３１と操作禁止媒体５０としての操作禁止キー５１とが設けられた例を説明したが、例えば、既設の駐車装置１に操作禁止装置７０を設ける場合、新たに認証手段と操作禁止媒体５０とを設けることも可能であるが、新たに操作禁止媒体５０を設け、認証手段は既設の操作盤における電源キーに兼ねさせるようにすることができる。
【００５６】
このように、上記操作禁止装置７０が設けられた駐車装置１によれば、格納している車両を搬出又は格納のための準備（パレット式／パレットレス式）をするステップ（パレット呼び機械動作）と、操作禁止媒体５０を駐車装置１から取り外すステップ（操作禁止キー５１を抜く）と、を行うことで、操作禁止キー５１の取り外しに基づいて、少なくとも駐車装置の扉閉操作、格納・搬出手段の呼び出し又は格納のいずれかが禁止される。
【００５７】
この場合、操作禁止キー５１が取り外されても前面フェンス２１の開動作は可能となっており、その後、前面フェンス２１の開放操作をして前面フェンス２１を開放する。この前面フェンス２１の開放は、操作禁止媒体５０を抜く前に行ってもよい。そして、利用者が駐車装置１の内部に入って入出庫をする。
【００５８】
その後、操作禁止キー５１を駐車装置１に取り付ける（必ずしも同じ場所に「戻す」とは限らない）ステップ（操作禁止キー５１を差す）と、操作禁止キー５１の取り付けに基づいて、上記禁止された操作を許可するステップと、が行われる。その後、前面フェンス２１の閉鎖操作をして、前面フェンス２１を閉鎖する。
【００５９】
なお、車両を搬出／格納するための準備が完了した後、前面フェンス２１を開放する操作は、操作禁止キー５１を取り外した後でなければ行えないようにしてもよい。つまり、操作禁止キー５１を抜かないと前面フェンス２１の開放動作ができないようにして、利用者に操作禁止キー５１を抜くことを強制してもよい。
【００６０】
このように、上記操作禁止装置７０によれば、操作盤３０に操作禁止キー５１を設け、この操作禁止キー５１を抜くことで前面フェンス２１（入口扉なども含む）の閉鎖操作や格納・搬出手段の呼び出し又は格納の機械操作ができないように禁止することができる。そのため、先の利用者が入出庫の操作開始時に操作禁止キー５１を抜き、その操作禁止キー５１を持って入出庫を行い、入出庫終了時に操作禁止キー５１を所定位置に差し込むまでの間は、他の利用者が駐車装置１の前面フェンス２１を閉鎖する操作や呼び操作ができず、先の利用者が駐車装置１の内部に閉じ込められることを防ぐことができる。
【００６１】
次に、図３〜図８に基づいて、前面フェンスを有する駐車装置１の操作盤３０に設けられる他の操作禁止媒体５０の例と、その操作禁止媒体５０によって操作盤３０による入出庫のための機械動作の操作を不能又は無効にすることについて説明する。これらは一例であり、他の構成で操作盤による入出庫のための機械動作の操作を不能又は無効にしてもよい。図３〜図８では、図２に示す構成と同一の構成には同一符号を付し、作用などの詳細な説明は省略する。
【００６２】
図３(a) 〜(c) に示す第２実施形態は、操作禁止媒体５０を操作禁止タグ（ＩＣタグ）５２とした例である。この例の場合、操作盤３０から操作禁止タグ５２を抜き取ることで、制御装置６０によって操作盤３０による操作が無効とされる。これにより、他の利用者による操作盤３０の操作による駐車装置１の機械動作を禁止している。
【００６３】
図４(a) 〜(c) に示す第３実施形態は、操作禁止媒体５０を操作禁止カード（磁気カード）５３とした例である。この操作禁止カード５３も、操作盤３０から抜き取ることで、制御装置６０によって操作盤３０による操作が無効とされる。これにより、他の利用者による操作盤３０の操作による駐車装置１の機械動作を禁止している。この操作禁止媒体５０としては、機械式キーの他、ＩＣタグ、磁気カード等を利用することができる。
【００６４】
図５(a) 〜(d) に示す第４実施形態は、操作禁止媒体５０である操作禁止キー５４を回転させて切り替えるようにした切り替えスイッチタイプの例である。操作盤３０には、利用者が抜き差し可能な切り替えスイッチタイプの操作禁止キー５４が設けられている。この例の場合、操作禁止キー５４を「フェンス閉操作」の「解除」と「禁止」とに切り替えるようにしている。操作禁止キー５４が、「解除」の位置の場合は、フェンス閉ボタン３３による前面フェンス２１の閉鎖が可能である。
【００６５】
そして、図５(c) に示すように、操作禁止キー５４を「禁止」に切り替えて、(d) に示すように抜き取ることで、制御装置６０によってフェンス閉ボタン３３の操作を無効にしてフェンス閉操作を禁止している。このように操作禁止キー５４を抜き取ることで、他の利用者による操作盤３０の操作を無効にしている。これにより、他の利用者による操作盤３０の操作による駐車装置１の機械動作を禁止している。
【００６６】
上記操作禁止媒体５０には、操作禁止キー５４のように回すなどして操作すると操作禁止の状態になり、操作禁止キー５４（５１）を抜いて持っておくタイプや、操作禁止タグ５２のように、抜くことによって操作禁止の状態になり、差すことによって操作禁止を解除するタイプなどがある。
【００６７】
図６(a) 〜(d) に示す第５実施形態は、操作禁止媒体５０をフェンス開ボタン３２又はフェンス閉ボタン３３をプレート５６で隠す操作禁止キー５５とした例である。この例では、操作盤３０に、利用者が抜き差し可能な操作禁止キー５５が設けられ、この操作禁止キー５５を差す部分に一体的に回るプレート５６が設けられている。
【００６８】
この例の場合、図６(a),(b) に示すように、操作盤３０に設けられたプレート５６の所定位置に操作禁止キー５５を差し、図６(c) に示すように、この操作禁止キー５５でプレート５６をフェンス閉ボタン３３が隠れる禁止側に回すようにしている。プレート５６でフェンス閉ボタン３３が隠れる禁止側に操作禁止キー５５を回すことで、図６(d) に示すように、操作禁止キー５５を操作盤３０から抜くことができる。操作禁止キー５５を抜き取ることで、フェンス閉ボタン３３を押せないようにして、他の利用者によるフェンス閉操作を不能にしている。これにより、他の利用者による操作盤３０の操作による駐車装置１の機械動作を禁止している。
【００６９】
また、この実施形態では、図６(a) に示すように、操作禁止キー５５をフェンス開ボタン３２がプレート５６で隠れる解除側に回さないと、フェンス閉ボタン３３を押してフェンス閉操作できないようにしている。このようにすることで、入出庫する利用者は、必ず操作禁止キー５５をフェンス閉ボタン３３が隠れる禁止側と、フェンス開ボタン３２が隠れる解除側とに回さなければならなくなる。なお、上記プレート５６により、フェンス開ボタン３２の代わりにスタートボタン３４を隠して不能としてもよい。
【００７０】
図７(a) 〜(c) に示す第６実施形態は、操作禁止媒体５０を操作盤３０における操作部であるフェンス閉ボタン５７を脱着可能にした例である。この例の場合、操作盤３０に設けられたフェンス閉ボタン５７が脱着可能となっており、図７(c) に示すように、先の利用者がフェンス閉ボタン５７を取り外して駐車装置１の内部に入ることで、他の利用者によるフェンス閉操作を禁止し、他の利用者がフェンス閉操作を不能としている。これにより、他の利用者による操作盤３０の操作による駐車装置１の機械動作を禁止している。なお、この例ではフェンス閉ボタン５７を脱着可能に構成したが、スタートボタン３４を脱着可能に構成してもよい。
【００７１】
図８(a) 〜(d) に示す第７実施形態は、操作禁止媒体５０としての操作禁止キー５８を抜く（取り外す）ことに連動して前面フェンス２１（図１）を開け、操作禁止キー５８を差す（戻す）ことに連動して前面フェンス２１を閉じるようにした例である。
【００７２】
図８(b) に示すように、操作禁止キー５８を差した状態から、図８(c) に示すように、操作禁止キー５８を抜くことにより、それに連動して前面フェンス２１が開けられる。その後、利用者は操作禁止キー５８を持って入出庫を行う。そして、図８(d),(e) に示すように、操作禁止キー５８を操作盤３０の所定位置に差すことにより、その操作に連動して前面フェンス２１が閉じられる。これらの連動は、制御装置６０によって制御される。
【００７３】
このように、操作禁止キー５８の抜き差しに連動して、前面フェンス２１の開閉が行われるようにすれば、利用者による前面フェンス２１の開閉操作を省くことができるとともに、先の利用者が利用中に他の利用者による操作を禁止することができる。
【００７４】
なお、この例では操作禁止キー５８を操作盤３０から抜き取ることで、制御装置６０によって操作盤３０による操作が無効とされる。これにより、他の利用者による操作盤３０の操作による駐車装置１の機械動作を禁止している。
【００７５】
次に、図９(a) 〜(c) に基づいて、前面フェンスが無い駐車装置の操作盤４０に設けられた操作禁止媒体５０の例と、その操作禁止媒体５０を備えた操作禁止装置７５について説明する。
【００７６】
図９(a) 〜(c) に示す第８実施形態の操作禁止媒体５０は、前面フェンス２１がない機械式駐車装置の例を示しており、この例では、単純昇降式の駐車装置で、利用者が車両を収納するパレットが地下に格納されている場合の操作を説明する。
【００７７】
この実施形態の操作盤４０には、電源キー４１を差し込む部分と、中段パレット選択ボタン４２と下段パレット選択ボタン４３、上昇ボタン４４と格納ボタン４５とが設けられている。そして、この操作盤４０に、利用者が抜き差し可能な操作禁止媒体５０としての操作禁止キー５９が設けられている。この操作禁止キー５９は、図９(b) に示す差し込んだ状態から、図９(c) に示すように抜き取り可能となっている。
【００７８】
このような操作禁止キー５９が備えられた操作禁止装置７５によれば、以下のように駐車装置の機械動作を禁止することができる。なお、以下の説明では、下段のパレットに入出庫する場合を説明する。
【００７９】
まず、機械式駐車装置の待機状態で電源キー４１を差して電源を入れる。この電源キー４１は、利用者が携帯するものであり、駐車装置を利用するための認証手段である。その後、下段パレット選択ボタン４３を押す。そして、上昇ボタン４４を押す。これにより、駐車装置が動作し、入出庫のための準備をする。目的の下段パレットが入庫位置に到着すると、利用者は操作禁止キー５９を抜き取り、持った状態で入出庫を行う。
【００８０】
この時、操作盤４０は操作禁止キー５９が抜かれた状態であるため、他の利用者が来て上昇ボタン４４、格納ボタン４５を押したとしてもこれらのボタンは制御装置６０によって無効となっており、駐車装置の機械動作は禁止されている。
【００８１】
そして、先の利用者が入出庫を終了して駐車装置から出て、操作盤４０に操作禁止キー５９を差し戻すことで、操作盤４０による上昇ボタン４４、格納ボタン４５の操作が有効になる。その後、先の利用者が格納ボタン４５を押すことで、駐車装置が動作して、車両を下段位置に格納して待機状態に戻る。駐車装置が待機状態に戻ると、利用者は電源キー４１を抜いて電源を切る。
【００８２】
このように、前面フェンス２１がない機械式駐車装置の場合には、操作禁止キー５９を抜き取ることで、制御装置６５によって、上昇ボタン４４、格納ボタン４５を無効にして駐車装置の機械動作を禁止し、先の利用者が駐車装置の内部にいるときに他の利用者によるこれらの操作を禁止することができる。
【００８３】
なお、上記図５、図６、図８で説明した操作禁止媒体５０の機能の一部などを、この操作禁止キー５９に備えさせてもよい。
【００８４】
また、例えば、複数台の駐車装置が並設されていて操作盤３０（４０）が複数ある場合、それぞれの操作盤３０（４０）毎に異なる操作禁止媒体５０とすることで、他の操作盤３０（４０）の操作禁止媒体５０を共用することを防ぐようにしてもよい。
【００８５】
以上のように、上記した操作禁止装置７０，７５によれば、機械式駐車装置１において、先の利用者が入出庫開始時に操作禁止媒体５０を取り外し、その操作禁止媒体５０を持って入出庫を行うようにすることで、先の利用者が入出庫中で装置内にいるときに、他の利用者が来て操作盤３０（４０）を操作したとしても、操作盤３０（４０）による入出庫のための機械動作の操作は不能又は無効となっている。従って、先の利用者が機械式駐車装置１の内部に閉じ込められることを防ぐことが可能となる。
【００８６】
そして、先の利用者が入出庫終了時に操作禁止媒体５０を戻すことで、他の利用者よる操作が可能となり、次の入出庫を行うことが可能となる。
【００８７】
従って、上記操作禁止装置７０，７５によれば、先の利用者が利用中に他の利用者による駐車装置１の機械動作を禁止するために多くの費用を要することなく実現することができる。また、先の利用者が操作盤３０，４０から取り外した操作禁止媒体５０（ハードウエア）を持って入出庫をするので、作業終了後に操作禁止媒体５０を戻すことを忘れるのを防止することもできる。
【００８８】
なお、上記した実施形態では、ピット格納式の３段３列昇降横行式の複数列多段式駐車装置１であって、高車高車ＨＷと低車高車ＬＷとを格納可能な例を説明したが、同一高さの車両を格納する駐車装置や、他の形式の機械式駐車装置においても適用することができ、機械式駐車装置の大きさ、形式などは限定されるものではない。しかも、既設の機械式駐車装置に操作禁止装置を付加することもできる。
【００８９】
また、上記した実施形態における操作禁止媒体５０は一例で他の構成であってもよく、操作禁止媒体５０を設ける場所も操作盤３０，４０以外に操作盤３０，４０の周囲や、出入り口周辺であってもよく、操作禁止媒体の構成、種類、配置などは上記実施形態に限定されるものではない。
【００９０】
さらに、上記した実施形態は一例を示しており、本発明の要旨を損なわない範囲での種々の変更は可能であり、本発明は上記した実施形態に限定されるものではない。
【産業上の利用可能性】
【００９１】
本発明に係る駐車装置の操作禁止装置は、利用者自らが操作する機械式駐車装置において利用することができる。
【符号の説明】
【００９２】
１  複数列多段式駐車装置
２０  乗入れ部
２１  前面フェンス
２２  乗入れ床
３０  操作盤
３１  電源キー（認証手段）
３２  フェンス開ボタン
３３  フェンス閉ボタン（操作部）
３４  スタートボタン（操作部）
３５  テンキーボタン
３６  表示部
４０  操作盤
４１  電源キー（認証手段）
４２  中段パレット選択ボタン
４３  下段パレット選択ボタン
４４  上昇ボタン（操作部）
４５  格納ボタン（操作部）
５０  操作禁止媒体
５１  操作禁止キー
５２  操作禁止タグ（ＩＣタグ）
５３  操作禁止カード（磁気カード）
５４  操作禁止キー
５５  操作禁止キー
５６  プレート
５７  フェンス閉ボタン
５８  操作禁止キー
５９  操作禁止キー
６０  制御装置
６５  制御装置
７０  操作禁止装置
７５  操作禁止装置
【図１】
0006378568.tif 000002
【図２】
0006378568.tif 000003
【図３】
0006378568.tif 000004
【図４】
0006378568.tif 000005
【図５】
0006378568.tif 000006
【図６】
0006378568.tif 000007
【図７】
0006378568.tif 000008
【図８】
0006378568.tif 000009
【図９】
0006378568.tif 000010